(57)【特許請求の範囲】
【請求項１】
被検者の人体の胴の部位における周回の寸法であるウエストサイズ、及び人体の大腿部の部位における周回の寸法である大腿部サイズを含む個人データを入力することができる入力手段と、
前記個人データを記憶することができ、該個人データに基づいて前記被検者の腹部内臓脂肪に関する定量的な情報を演算で求めることができる演算処理部と、
前記個人データ、及び前記演算処理部により演算処理された演算結果を表示できる表示部とを有し、
前記被検者の大腿部サイズに対するウエストサイズの比（ウエストサイズ／大腿部サイズ）であるＷＴＲに基づき前記被検者の腹部内臓脂肪に関する定量的な情報を求めることができる内臓脂肪計。
【請求項２】
前記腹部内臓脂肪に関する定量的な情報が腹部内臓脂肪量であることを特徴とする請求項１に記載の内臓脂肪計。
【請求項３】
人体の末端の部位に接触させた電極を介して当該人体の生体インピーダンスを測定することができ、該測定された生体インピーダンス及び前記入力された個人データの一部の項目に基づいて被検者の体脂肪率を求めることができる体脂肪率測定手段を有し、
該体脂肪率測定手段により求められた体脂肪率が前記表示部に表示されるように構成された請求項１又は２に記載の内臓脂肪計。
【請求項４】
被検者の人体の胴の部位における周回の寸法であるウエストサイズ、及び人体の大腿部の部位における周回の寸法である大腿部サイズを含む個人データを入力することができる入力手段と、
前記個人データを記憶することができ、該個人データに基づいて前記被検者の腹部内臓脂肪横断面積を演算することができる演算処理部と、
前記個人データ、及び前記演算処理部により演算処理された演算結果を表示できる表示部とを有しており、
前記演算処理部に、標本となる人体の腹部の断層撮影により得られた腹部内臓脂肪横断面積の実際の測定値と、前記標本とされた人体の大腿部サイズに対するウエストサイズの比（ウエストサイズ／大腿部サイズ）であるＷＴＲとの相関の統計的な処理により求められたＷＴＲの第一相関係数及び第一定数が記憶されており、
前記被検者についてのＷＴＲと前記ＷＴＲの第一相関係数及び第一定数とに基づいて、前記被検者の腹部内臓脂肪横断面積の推定値を求めることができる内臓脂肪計。
【請求項５】
被検者の人体の胴の部位における周回の寸法であるウエストサイズ、人体の大腿部の部位における周回の寸法である大腿部サイズ、身長、及び体重を含む個人データを入力することができる入力手段と、
前記個人データを記憶することができ、該個人データに基づいて前記被検者の腹部内臓脂肪横断面積の推定値を演算することができる演算処理部と、
前記個人データ、及び前記演算処理部により演算処理された演算結果を表示できる表示部とを有し、
前記演算処理部に、標本となる人体の腹部の断層撮影により得られた腹部内臓脂肪横断面積の実際の測定値と、前記標本とされた人体の大腿部サイズに対するウエストサイズの比（ウエストサイズ／大腿部サイズ）であるＷＴＲ及び前記標本とされた人体の肥満度合いの評価にかかるＢＭＩとの相関を統計的に処理して求められたＷＴＲの第二相関係数、ＢＭＩの第一相関係数及び第二定数が記憶されており、
前記被検者についてのＷＴＲ及びＢＭＩと、前記ＷＴＲの第二相関係数、ＢＭＩの第一相関係数及び第二定数とに基づいて、前記被検者の腹部内臓脂肪横断面積の推定値を求めることができる内臓脂肪計。
【請求項６】
被検者の人体の胴の部位における周回の寸法であるウエストサイズ、人体の大腿部の部位における周回の寸法である大腿部サイズ、身長、体重、性別及び年齢を含む個人データを入力することができる入力手段と、
前記個人データを記憶することができ、該個人データに基づいて前記被検者の腹部内臓脂肪横断面積の推定値を演算することができる演算処理部と、
前記個人データ、及び前記演算処理部により演算処理された演算結果を表示できる表示部と、
人体の末端の部位に接触させる電極を介して当該人体の生体インピーダンスを測定することができ、該測定された生体インピーダンス及び前記入力された個人データの一部の項目に基づいて被検者の体脂肪率を求めることができる体脂肪率測定手段とを有し、
前記演算処理部に、標本となる人体の腹部の断層撮影により得られた腹部内臓脂肪横断面積の実際の測定値と、前記標本とされた人体の大腿部サイズに対するウエストサイズの比（ウエストサイズ／大腿部サイズ）であるＷＴＲ及び前記標本とされた人体の体脂肪率との相関を統計的に処理して求められたＷＴＲの第三相関係数、体脂肪率の第一相関係数及び第三定数が記憶されており、
前記被検者についてのＷＴＲ及び前記体脂肪率測定手段により測定された体脂肪率と、前記ＷＴＲの第三相関係数、体脂肪率の第一相関係数及び第三定数とに基づいて、前記被検者の腹部内臓脂肪横断面積の推定値を求めることができる内臓脂肪計。
【請求項７】
被検者の人体の胴の部位における周回の寸法であるウエストサイズ、人体の大腿部の部位における周回の寸法である大腿部サイズ、身長、体重び腹部皮下脂肪厚を含む個人データを入力することができる入力手段と、
前記個人データを記憶することができ、該個人データに基づいて前記被検者の腹部内臓脂肪横断面積の推定値を演算することができる演算処理部と、
前記個人データ、及び前記演算処理部により演算処理された演算結果を表示できる表示部とを有し、
前記演算処理部に、標本となる人体の腹部の断層撮影により得られた腹部内臓脂肪横断面積の実際の測定値と、前記標本とされた人体の大腿部サイズに対するウエストサイズの比（ウエストサイズ／大腿部サイズ）であるＷＴＲ、該標本とされた人体の肥満度合いの評価にかかるＢＭＩ、該標本とされた人体の腹部皮下脂肪厚との相関を統計的に処理して求められたＷＴＲの第四相関係数、ＢＭＩの第二相関係数、腹部皮下脂肪厚の第一相関係数及び第四定数が記憶されており、前記被検者についてのＷＴＲ、ＢＭＩ及び腹部皮下脂肪厚と、前記ＷＴＲの第四相関係数、ＢＭＩの第二相関係数、腹部皮下脂肪厚の第一相関係数及び第四定数とに基づいて、前記被検者の腹部内臓脂肪横断面積の推定値を求めることができる内臓脂肪計。
【請求項８】
前記被検者の腹部皮下脂肪厚とウエストサイズとに基づいて腹部皮下脂肪横断面積が求められるように構成された請求項７に記載の内臓脂肪計。
【請求項９】
前記被検者の腹部内臓脂肪横断面積の推定値と腹部皮下脂肪横断面積との比が求められるように構成された請求項８に記載の内臓脂肪計。
【請求項１０】
前記被検者の腹部内臓脂肪横断面積の推定値と前記腹部皮下脂肪横断面積とに基づいて、腹部脂肪横断面積が求められるように構成された請求項８に記載の内臓脂肪計。
【請求項１１】
被検者の人体の胴の部位における周回の寸法であるウエストサイズ、人体の大腿部の部位における周回の寸法である大腿部サイズ、身長、体重、性別、年齢及び腹部皮下脂肪厚を含む個人データを入力することができる入力手段と、
前記個人データを記憶することができ、該個人データに基づいて前記被検者の腹部内臓脂肪横断面積の推定値を演算することができる演算処理部と、
前記個人データ、及び前記演算処理部により演算処理された演算結果を表示できる表示部と、
人体の末端の部位に接触させた電極を介して当該人体の生体インピーダンスを測定することができ、該測定された生体インピーダンス及び前記入力された個人データの一部の項目に基づいて被検者の体脂肪率を求めることができる体脂肪率測定手段とを有し、
前記演算処理部に、標本となる人体の腹部の断層撮影により得られた腹部内臓脂肪横断面積の実際の測定値と、前記標本とされた人体の大腿部サイズに対するウエストサイズの比（ウエストサイズ／大腿部サイズ）であるＷＴＲ、該標本とされた人体の体脂肪率、及び該標本とされた人体の腹部皮下脂肪厚との相関を統計的に処理して求められたＷＴＲの第五相関係数、体脂肪率の第二相関係数、腹部皮下脂肪厚の第二相関係数及び第五定数が記憶されており、
前記被検者についてのＷＴＲ、前記体脂肪率測定手段により測定された体脂肪率及び腹部皮下脂肪厚と、前記ＷＴＲの第五相関係数、体脂肪率の第二相関係数、腹部皮下脂肪厚の第二相関係数及び第五定数とに基づいて、前記被検者の腹部内臓脂肪横断面積の推定値を求めることができる内臓脂肪計。
【請求項１２】
前記被検者の腹部皮下脂肪厚とウエストサイズとに基づいて腹部皮下脂肪横断面積が求められるように構成された請求項１１に記載の内臓脂肪計。
【請求項１３】
前記被検者の腹部内臓脂肪横断面積の推定値と腹部皮下脂肪横断面積との比が求められるように構成された請求項１２に記載の内臓脂肪計。
【請求項１４】
前記被検者の腹部内臓脂肪横断面積の推定値と前記腹部皮下脂肪横断面積とに基づいて、腹部脂肪横断面積が求められるように構成された請求項１２に記載の内臓脂肪計。
【請求項１５】
人体の末端の部位に接触させた電極を介して当該人体の生体インピーダンスを測定することができ、該測定された生体インピーダンス及び前記入力された個人データの一部の項目に基づいて被検者の体脂肪率を求めることができる体脂肪率測定手段を有し、
該体脂肪率測定手段により求められた体脂肪率が前記表示部に表示されるように構成された請求項４、５、７、８、９、１０のいずれかに記載の内臓脂肪計。
【請求項１６】
前記腹部内臓脂肪横断面積の推定値が、前記被検者の年齢による補正項及び／又は性別による補正項を付加して求められるように構成された請求項４乃至１５のいずれかに記載の内臓脂肪計。
【請求項１７】
腹部内臓脂肪横断面積についての複数の基準値による複数のランクが予め設定されており、前記求められた腹部内臓脂肪横断面積の推定値が前記複数のランクに従って前記表示部に表示されるように構成された請求項４乃至１６のいずれかに記載の内臓脂肪計。
【請求項１８】
前記ウエストサイズが前記被検者の人体の略第四腰椎の部位における周回の寸法であり、前記大腿部サイズが大腿部の上部又は大腿部の中部のいずれかの部位における周回の寸法であることを特徴とする請求項１乃至１７のいずれかに記載の内臓脂肪計。
【請求項１９】
前記ウエストサイズ及び大腿部サイズを測定することができる寸法測定手段が設けられてなる、請求項１乃至１８のいずれかに記載の内臓脂肪計。
【請求項２０】
前記寸法測定手段により測定されたウエストサイズ及び大腿部サイズが、前記演算処理部に入力されるように構成された請求項１９に記載の内臓脂肪計。
【発明の詳細な説明】
【０００１】
【発明の属する技術分野】
この発明は、人体の体内脂肪のうち内臓脂肪に関する情報を求めることができ、簡易に用いることができる内臓脂肪計に関する。
【０００２】
【従来の技術】
従来より、健康維持の観点から体内脂肪が注目されている。即ち、体内脂肪が増加すると成人病等の原因となるので、体内脂肪を知ることにより成人病等を予防できるからである。かかる体内脂肪を評価するための指標の一つにＢＭＩがあり、このＢＭＩは、各個人の身長と体重とにより求めることができるので、体内脂肪に関する情報を得るための指標として比較的に手軽に用いられている。
【０００３】
また、体内脂肪を知るための他の指標として体脂肪率がある。最近では体脂肪率を求め得る各種の体脂肪計が市場に流通しており、これら体脂肪計を用いることによって、体内脂肪の状態を表す体脂肪率を家庭内等で簡易に求めることができる。
【０００４】
【発明が解決しようとする課題】
ところで、体内脂肪のうち特に内臓脂肪が心臓病や糖尿病等の各種の合併症の要因になると考えられており、内臓脂肪は健康維持の観点から特に重要であると考えられている。
【０００５】
ここで、以上に述べたＢＭＩや体脂肪率は、人体の全身を対象とする平均的な体内脂肪に関する情報として求められるものである。従って、ＢＭＩや体脂肪率からみて健康上特に問題ないと思われる結果が得られたとしても、内臓脂肪に関して健康上問題があるか否かについては必ずしも判別できない。
【０００６】
この内臓脂肪を知るための診断方法としてＣＴスキャンやＭＲＩ等により腹部の断層撮影を行う方法があり、この方法によれば腹部自体を直接に観察できるので内臓脂肪に関する情報を正確に得ることはできる。
【０００７】
しかし、かかるＣＴスキャン等を用いる診断は、病院に設置される大がかりな診断機器を用いてされるものであり、一定の時間を要する測定やデータ解析等を経て結果が得られるものである。そして、これら診断機器の操作やデータ解析等には、高度な専門技術が要求される。従って、家庭内等で簡易に内臓脂肪に関する情報を得ることができるものではない。
【０００８】
そこで、本発明は、家庭内等で簡易に用いることが可能な、内臓脂肪に関する情報を得ることができる内臓脂肪計を提供することを目的とする。
【０００９】
【課題を解決するための手段】
上記課題を解決するため、本発明にかかる内臓脂肪計は、被検者の人体の胴の部位における周回の寸法であるウエストサイズ、及び人体の大腿部の部位における周回の寸法である大腿部サイズを含む個人データを入力することができる入力手段と、
前記個人データを記憶することができ、該個人データに基づいて前記被検者の腹部内臓脂肪に関する定量的な情報を演算で求めることができる演算処理部と、
前記個人データ、及び前記演算処理部により演算処理された演算結果を表示できる表示部とを有し、
前記被検者の大腿部サイズに対するウエストサイズの比（ウエストサイズ／大腿部サイズ）であるＷＴＲに基づき前記被検者の腹部内臓脂肪に関する定量的な情報を求めることができる（請求項１）。
【００１０】
被検者の腹部の内臓脂肪の状態は、被検者個人の身体的特徴の一つである前記ＷＴＲとの相関が極めて高いとされている。そして、本発明の内臓脂肪計にあっては、被検者個人の大腿部サイズとウエストサイズとの比である前記ＷＴＲに基づき腹部の内臓脂肪に関する定量的な情報を求め得るようにされている。従って、本発明の内臓脂肪計によると、被検者の健康に特に関係の深い情報である腹部内臓脂肪に関する情報を、家庭内等で簡易に求めることが可能である。
【００１１】
そして、本発明の内臓脂肪計について、前記内臓脂肪に関する定量的な情報として前記ＷＴＲに基づく内臓脂肪量を求め得る構成とすることができる（請求項２）。内臓脂肪量は被検者の健康と関係の深い情報であり、内臓脂肪量を知ることにより、成人病等を患う可能性を予見することができる。
【００１２】
そして、かかる内臓脂肪計について、人体の末端の部位に接触させた電極を介して当該人体の生体インピーダンスを測定することができ、該測定された生体インピーダンス及び前記入力された個人データの一部の項目に基づいて被検者の体脂肪率を求めることができる体脂肪率測定手段を備え、
該体脂肪率測定手段により求められた体脂肪率を前記表示部に表示する構成とすることができる（請求項３）。これにより、本発明の内臓脂肪計によると、内臓肪に関する情報を得ることができるとともに、体脂肪率を知ることもできる。
【００１３】
また、本発明にかかる内臓脂肪計として、内臓脂肪に関する情報として腹部内臓脂肪横断面積の推定値を求め得るものを実現することができる。この腹部内臓脂肪横断面積の推定値を求めるにあたり、不特定多数の標本となる人体についての実際の腹部内臓脂肪横断面積と前記ＷＴＲを含む個人データとの相関を統計的に処理することにより、前記ＷＴＲ等と腹部内臓脂肪横断面積との特定の相関関係を決定する。そして、この決定された相関関係を各被検者個人について適用することにより、各被検者個人のＷＴＲ等に基づく腹部内臓脂肪横断面積の推定値を高精度で求め得ると考えられる。
【００１４】
かかる腹部内臓脂肪横断面積を求め得る内臓脂肪計を、被検者の人体の胴の部位における周回の寸法であるウエストサイズ、及び人体の大腿部の部位における周回の寸法である大腿部サイズを含む個人データを入力することができる入力手段と、
前記個人データを記憶することができ、該個人データに基づいて前記被検者の腹部内臓脂肪横断面積を演算することができる演算処理部と、
前記個人データ、及び前記演算処理部により演算処理された演算結果を表示できる表示部とを有し、
前記演算処理部に、標本となる人体の腹部の断層撮影により得られた腹部内臓脂肪横断面積の実際の測定値と、前記標本とされた人体の大腿部サイズに対するウエストサイズの比（ウエストサイズ／大腿部サイズ）であるＷＴＲとの相関の統計的な処理により求められたＷＴＲの第一相関係数及び第一定数が記憶されており、
前記被検者についてのＷＴＲと前記ＷＴＲの第一相関係数及び第一定数とに基づいて、前記被検者の腹部内臓脂肪横断面積の推定値を求めるように構成することができる（請求項４）。
【００１５】
この発明の内臓脂肪計にあっては、腹部内臓脂肪横断面積が前記ＷＴＲに相関するとして不特定多数の標本となる人体についての断層撮影で得られた実際の腹部内臓脂肪横断面積と前記ＷＴＲとの相関関係を統計的に処理して求められた前記ＷＴＲの第一相関係数及び第一定数が記憶されている。そして、各被検者個人のＷＴＲが入力されると、前記ＷＴＲの第一相関係数及び第一定数によって、腹部内臓脂肪横断面積の推定値が演算によって求められる。
【００１６】
このように、本発明の内臓脂肪計によると、前記個人データであるＷＴＲを入力することによって、被検者の内臓脂肪に関する情報として腹部内臓脂肪横断面積を得ることができ、健康に関係の深い情報である腹部内臓脂肪横断面積を簡易に求めることができる。
【００１７】
また、腹部内臓脂肪横断面積を求め得る内臓脂肪計を、被検者の人体の胴の部位における周回の寸法であるウエストサイズ、人体の大腿部の部位における周回の寸法である大腿部サイズ、身長、及び体重を含む個人データを入力することができる入力手段と、
前記個人データを記憶することができ、該個人データに基づいて前記被検者の腹部内臓脂肪横断面積の推定値を演算することができる演算処理部と、
前記個人データ、及び前記演算処理部により演算処理された演算結果を表示できる表示部とを有し、
前記演算処理部に、標本となる人体の腹部の断層撮影により得られた腹部内臓脂肪横断面積の実際の測定値と、前記標本とされた人体の大腿部サイズに対するウエストサイズの比（ウエストサイズ／大腿部サイズ）であるＷＴＲ及び前記標本とされた人体の肥満度合いの評価にかかるＢＭＩとの相関を統計的に処理して求められたＷＴＲの第二相関係数、ＢＭＩの第一相関係数及び第二定数を記憶し、
前記被検者についてのＷＴＲ及びＢＭＩと、前記ＷＴＲの第二相関係数、ＢＭＩの第一相関係数及び第二定数とに基づいて、前記被検者の腹部内臓脂肪横断面積の推定値を求めるように構成することができる（請求項５）。
【００１８】
この内臓脂肪計にあっては、腹部内臓脂肪横断面積が前記ＷＴＲに加えてＢＭＩとも相関するとして不特定多数の標本となる人体についての実際の腹部内臓脂肪横断面積とＷＴＲ及びＢＭＩとの相関の統計的な処理により求められたＷＴＲの第二相関係数、ＢＭＩの第一相関係数及び第二定数が記憶されている。そして、この内臓脂肪計は、被検者個人のＷＴＲ、ＢＭＩを入力することにより、腹部内臓脂肪横断面積の推定値を求めることができる。従って、この内臓脂肪計によると、腹部内臓脂肪横断面積を求めるにあたり、被検者のＷＴＲに加えてＢＭＩを反映させることができる。
【００１９】
また、内臓脂肪計を、被検者の人体の胴の部位における周回の寸法であるウエストサイズ、人体の大腿部の部位における周回の寸法である大腿部サイズ、身長、体重、性別及び年齢を含む個人データを入力することができる入力手段と、
前記個人データを記憶することができ、該個人データに基づいて前記被検者の腹部内臓脂肪横断面積の推定値を演算することができる演算処理部と、
前記個人データ、及び前記演算処理部により演算処理された演算結果を表示できる表示部と、
人体の末端の部位に接触させる電極を介して当該人体の生体インピーダンスを測定することができ、該測定された生体インピーダンス及び前記入力された個人データの一部の項目に基づいて被検者の体脂肪率を求めることができる体脂肪率測定手段とを有し、
前記演算処理部に、標本となる人体の腹部の断層撮影により得られた腹部内臓脂肪横断面積の実際の測定値と、前記標本とされた人体の大腿部サイズに対するウエストサイズの比（ウエストサイズ／大腿部サイズ）であるＷＴＲ及び前記標本とされた人体の体脂肪率との相関を統計的に処理して求められたＷＴＲの第三相関係数、体脂肪率の第一相関係数及び第三定数を記憶し、
前記被検者についてのＷＴＲ及び前記体脂肪率測定手段により測定された体脂肪率と、前記ＷＴＲの第三相関係数、体脂肪率の第一相関係数及び第三定数とに基づいて、前記被検者の腹部内臓脂肪横断面積の推定値を求めるように構成することができる（請求項６）。
【００２０】
この内臓脂肪計にあっては、腹部内臓脂肪横断面積が前記ＷＴＲに加えて体脂肪率とも相関するとして不特定多数の標本となる人体についての実際の腹部内臓脂肪横断面積とＷＴＲ及び体脂肪率との相関の統計的な処理により求められたＷＴＲの第三相関係数、体脂肪率の第一相関係数及び第三定数が記憶されている。そして、この内臓脂肪計は、被検者個人のＷＴＲ、体脂肪率を入力することにより、腹部内臓脂肪横断面積の推定値を求めることができる。従って、この内臓脂肪計によると、腹部内臓脂肪横断面積を求めるにあたり、被検者のＷＴＲに加えて体脂肪率を反映させることができる。
【００２１】
また、内臓脂肪計を、被検者の人体の胴の部位における周回の寸法であるウエストサイズ、人体の大腿部の部位における周回の寸法である大腿部サイズ、身長、体重び腹部皮下脂肪厚を含む個人データを入力することができる入力手段と、前記個人データを記憶することができ、該個人データに基づいて前記被検者の腹部内臓脂肪横断面積の推定値を演算することができる演算処理部と、
前記個人データ、及び前記演算処理部により演算処理された演算結果を表示できる表示部とを有し、
前記演算処理部に、標本となる人体の腹部の断層撮影により得られた腹部内臓脂肪横断面積の実際の測定値と、前記標本とされた人体の大腿部サイズに対するウエストサイズの比（ウエストサイズ／大腿部サイズ）であるＷＴＲ、該標本とされた人体の肥満度合いの評価にかかるＢＭＩ、該標本とされた人体の腹部皮下脂肪厚との相関を統計的に処理して求められたＷＴＲの第四相関係数、ＢＭＩの第二相関係数、腹部皮下脂肪厚の第一相関係数及び第四定数を記憶し、
前記被検者についてのＷＴＲ、ＢＭＩ及び腹部皮下脂肪厚と、前記ＷＴＲの第四相関係数、ＢＭＩの第二相関係数、腹部皮下脂肪厚の第一相関係数及び第四定数とに基づいて、前記被検者の腹部内臓脂肪横断面積の推定値を求めるように構成することができる（請求項７）。
【００２２】
この内臓脂肪計にあっては、腹部内臓脂肪横断面積が前記ＷＴＲに加えてＢＭＩ及び腹部皮下脂肪厚とも相関するとして不特定多数の標本となる人体についての実際の腹部内臓脂肪横断面積とＷＴＲ、ＢＭＩ及び腹部皮下脂肪厚との相関の統計的な処理により求められたＷＴＲの第四相関係数、ＢＭＩの第二相関係数、腹部皮下脂肪厚の第一相関係数及び第四定数が記憶されている。そして、この内臓脂肪計は、被検者個人のＷＴＲ、ＢＭＩ、腹部皮下脂肪厚を入力することにより、腹部内臓脂肪横断面積の推定値を求めることができる。従って、この内臓脂肪計によると、腹部内臓脂肪横断面積を求めるにあたり、被検者のＷＴＲに加えてＢＭＩ及び腹部皮下脂肪厚を反映させることができる。
【００２３】
また、本発明にかかる内臓脂肪計を、被検者の人体の胴の部位における周回の寸法であるウエストサイズ、人体の大腿部の部位における周回の寸法である大腿部サイズ、身長、体重、性別、年齢及び腹部皮下脂肪厚を含む個人データを入力することができる入力手段と、
前記個人データを記憶することができ、該個人データに基づいて前記被検者の腹部内臓脂肪横断面積の推定値を演算することができる演算処理部と、
前記個人データ、及び前記演算処理部により演算処理された演算結果を表示できる表示部と、
人体の末端の部位に接触させた電極を介して当該人体の生体インピーダンスを測定することができ、該測定された生体インピーダンス及び前記入力された個人データの一部の項目に基づいて被検者の体脂肪率を求めることができる体脂肪率測定手段とを有し、
前記演算処理部に、標本となる人体の腹部の断層撮影により得られた腹部内臓脂肪横断面積の実際の測定値と、前記標本とされた人体の大腿部サイズに対するウエストサイズの比（ウエストサイズ／大腿部サイズ）であるＷＴＲ、該標本とされた人体の体脂肪率、及び該標本とされた人体の腹部皮下脂肪厚との相関を統計的に処理して求められたＷＴＲの第五相関係数、体脂肪率の第二相関係数、腹部皮下脂肪厚の第二相関係数及び第五定数が記憶されており、
前記被検者についてのＷＴＲ、前記体脂肪率測定手段により測定された体脂肪率及び腹部皮下脂肪厚と、前記ＷＴＲの第五相関係数、体脂肪率の第二相関係数、腹部皮下脂肪厚の第二相関係数及び第五定数とに基づいて、前記被検者の腹部内臓脂肪横断面積の推定値を求めるように構成することができる（請求項１１）。
【００２４】
この内臓脂肪計にあっては、腹部内臓脂肪横断面積が前記ＷＴＲに加えて体脂肪率及び腹部皮下脂肪厚とも相関するとして不特定多数の標本となる人体についての実際の腹部内臓脂肪横断面積とＷＴＲ、体脂肪率及び腹部皮下脂肪厚との相関の統計的な処理により求められたＷＴＲの第五相関係数、体脂肪率の第二相関係数、腹部皮下脂肪厚の第二相関係数及び第五定数が記憶されている。そして、この内臓脂肪計は、被検者個人のＷＴＲ、体脂肪率、腹部皮下脂肪厚を入力することにより、腹部内臓脂肪横断面積の推定値を求めることができる。従って、この内臓脂肪計によると、腹部内臓脂肪横断面積を求めるにあたり、被検者のＷＴＲに加えて体脂肪率及び腹部皮下脂肪厚を反映させることができる。
【００２５】
また、以上の腹部皮下脂肪厚が入力される内臓脂肪計について（請求項７、１１）、腹部皮下脂肪厚とウエストサイズとに基づいて腹部皮下脂肪横断面積を求めるように構成することができる（請求項８、１２）。また、前記被検者の腹部内臓脂肪横断面積の推定値と腹部皮下脂肪横断面積との比を求めるように構成することもできる（請求項９、１３）。また、前記被検者の腹部内臓脂肪横断面積の推定値と前記腹部皮下脂肪横断面積とに基づいて、腹部脂肪横断面積を求めるように構成することもできる（請求項１０、１４）。これらの腹部皮下脂肪横断面積を求め得る内臓脂肪計にあっては、以下の意義を有する。
【００２６】
即ち、皮下脂肪の役割として、皮下脂肪から分泌されるホルモンが体脂肪を減少させる方向に作用することが最近解明されてきている。そして、栄養過剰による内臓脂肪の蓄積で生ずる悪影響を皮下脂肪が緩和する方向に作用することが解明されている。従って、腹部皮下脂肪に関する情報を得ることにより、また、腹部皮下脂肪と腹部内臓脂肪との比を得ることにより、健康を判断するための重要な指標として用いることができる。
【００２７】
また、以上の内臓脂肪計において腹部内臓脂肪横断面積を求めるにあたり、前記被検者の年齢による補正項、性別による補正項を付加して求めるように構成することもできる（請求項１６）。これにより、腹部内臓脂肪横断面積を求めるにあたり、被検者個人の特徴である年齢や性別を反映させることができる。この場合、年齢による補正項及び性別による補正項の双方を付加してもよく、年齢による補正項または性別による補正項のいずれかを付加するのであってもよい。
【００２８】
また、以上の腹部内臓脂肪横断面積を求め得る内臓脂肪計に関して、体脂肪率の測定結果に応じて腹部内臓脂肪横断面積を求める構成とされるもの以外についても（請求項４、５、７、８、９、１０）、前記体脂肪率測定手段を備える構成とし、被検者の体脂肪率を求めるとともに、体脂肪率を表示部に表示するように構成することができる（請求項１５）。これにより、腹部内臓脂肪横断面積に加えて、体脂肪率を知ることができる。
【００２９】
また、前記腹部内臓脂肪横断面積についての複数の基準値による複数のランクを予め設定し、前記求められた腹部内臓脂肪横断面積の推定値が前記複数のランクに従って前記表示部に表示されるように構成することもできる（請求項１７）。これにより、定量的な腹部内臓脂肪横断面積の測定結果を、視覚を通じて、段階的なランクによる表示を介して把握できるので、求められた腹部内臓脂肪横断面積の把握が容易となる。
【００３０】
また、以上の内臓脂肪計について、前記ウエストサイズを前記被検者の人体の略第四腰椎の部位における周回の寸法とし、前記大腿部サイズを大腿部の上部又は大腿部の中部の部位における周回の寸法とすることができる（請求項１８）。ここで、大腿部の上部とは、被験者が足を１０ｃｍ程度離し、どちらの足にも均等に体重がかかるようにして立った状態において、臀溝のすぐ直下を通る水平面と交わる大腿の部位である。また、大腿部の中部とは、被験者が足を１０ｃｍ程度離し、どちらの足にも均等に体重がかかるようにして立った状態において、前記大腿部の上部と膝蓋骨上縁との間の中点にあたる部位である。
【００３１】
これにより、かかる部位より採取されたウエストサイズ及び大腿部サイズを用いることで、人体の内臓脂肪の状態と最も相関の高い測定結果を得ることができる。
【００３２】
また、以上の内臓脂肪計について、前記ウエストサイズ及び大腿部サイズを測定することができる寸法測定手段を設けることもできる（請求項１９）。これにより、上記寸法測定手段を用いることにより、測定したい時点におけるウエストサイズ及び大腿部サイズをその場で測定できるので、他で予め測定したウエストサイズや大腿部サイズを入力する必要をなくすることができる。
【００３３】
また、前記寸法測定手段により測定されたウエストサイズ及び大腿部サイズが、前記演算処理部に入力されるように構成することもできる（請求項２０）。これにより、所要のウエストサイズ及び大腿部サイズを、被検者が前記入力手段の操作を介して入力する必要をなくすることができる。
【００３４】
【発明の実施の形態】
本発明の実施の形態について、図１乃至図６に基づいて説明する。
【００３５】
図１は本発明の一の実施の形態にかかる内臓脂肪計１０を表しており、図１（ａ）は内臓脂肪計１０の斜視図である。この内臓脂肪計１０は、被検者の内臓脂肪に関する情報である腹部における内臓脂肪の横断面積である腹部内臓脂肪横断面積の推定値や、腹部の皮下脂肪も含めた腹部総脂肪断面積等を求め得るとともに、体脂肪計が一体に組み込まれた構成とされ、体脂肪率を求めることもできる。
【００３６】
また、この内臓脂肪計１０によると、肥満の程度を表す指標として従来より簡易に用いられてきたＢＭＩを求めることもできる。このＢＭＩは、後に説明する個人データに基づき、被検者の身長及び体重に基づく周知の演算式によって求め得るようにされている。
【００３７】
内臓脂肪計１０に設けられる操作部７は、数値や文字等を入力できる多くのキーを備え、かかるキーを操作することにより被検者個人の身体的特徴を表す個人データを入力することができ、かかる個人データの入力に必要な多くのキーを備えている。この操作部７は、個人データを入力するための入力手段にあたる。
【００３８】
この内臓脂肪計１０で入力することができる個人データとして、被検者の身長、体重、性別、年齢、ウエストサイズ（以下、「腹囲」ということもある）、大腿部サイズ（以下、「大腿周囲長」ということもある）がある。このウエストサイズ（Ｗ）と大腿部サイズ（Ｈ）により、大腿部サイズ（Ｈ）に対するウエストサイズ（Ｗ）の比であるＷＴＲ（即ち、ウエストサイズを大腿部サイズで除する演算により求められる）が求められる。
【００３９】
上記ウエストサイズについては、被検者の人体の略第四腰椎の部位における腹回りの周回の寸法を用いるのが望ましい。
【００４０】
また、大腿部サイズについては、大腿部の上部と中部との間における大腿部の周囲長を採取するのが望ましい。ここで、かかる大腿部サイズの採取にかかる大腿部の上部及び中部は以下のようにして決められる。被験者が足を１０ｃｍ程度離し、どちらの足にも均等に体重がかかるようにして立った状態における、臀溝のすぐ直下を通る水平面上の部位が大腿部の上部とされる。また、被験者が足を１０ｃｍ程度離し、どちらの足にも均等に体重がかかるようにして立った状態における、前記大腿部の上部（又は、大腿での皮脂厚計測部位即ち鼠径雛壁）と膝蓋骨上縁との中点にあたる部位が、大腿部の中部とされる。
【００４１】
ウエストサイズ及び大腿部サイズとして、上記部位の寸法を用いることにより、人体の内臓脂肪の状態を最も反映させることができる。また、大腿部サイズについては、前記大腿部の上部または大腿部の中部のいずれかの部位の大腿部の周囲長を用いることもできる。
【００４２】
また、入力される個人データに、被検者の腹部の皮下脂肪厚を含めることもできる。なお、この腹部の皮下脂肪厚については、いわゆるキャリパーと呼ばれるものや超音波を用いて測定するもの等、周知の皮下脂肪厚測定手段によって測定することができる。
【００４３】
また、腹部の皮下脂肪厚を測定して内臓脂肪計に入力するにあたり、人体の傍臍部及び腸骨上部の二箇所の部位より採取することができる。そして、腹部の皮下脂肪厚としては、いずれか一方の測定値を採用してもよく、これらの測定値の和を採用してもよく、または和の平均値を採用してもよい。
【００４４】
そして、操作部７には、個人データの各項目の選択を行うための選択キーや数値データを入力するための数値キー等が備わっている。また、操作部７には、内臓脂肪計１０を動作させるべく電源オンまたはオフするためのオン／オフ（ＯＮ／ＯＦＦ）スイッチや、後に説明する生体インピーダンスの測定を開始するためのインピーダンス測定開始スイッチも設けられている。
【００４５】
また、この操作部７を操作することにより、腹部内臓脂肪横断面積の測定を行うための各測定モードを選択でき、かかる測定モードの選択に応じて、後に説明する第一の測定ルーチンや第二の測定ルーチン等の測定ルーチンが実行される。
【００４６】
また、表示部８には、前記操作部７を介して入力された各種の個人データや、入力された個人データより求められたＢＭＩが表示され、また、測定結果である体脂肪率や腹部内臓脂肪横断面積に関する表示が行われるようになっている。図１（ｂ）は表示部８の表示の一例を示す図である。
【００４７】
この図１（ｂ）に示される表示にあっては、腹部内臓脂肪横断面積の測定結果に応じて複数のランクに区分して表示するものである。図１（ｂ）において、８ａ、８ｂ、８ｃは各ランクを表すランクバーである。腹部内臓脂肪横断面積について予め複数の基準値を設定しておき、かかる複数の基準値と測定された腹部内臓脂肪横断面積とが比較される。そして、被検者の腹部内臓脂肪横断面積がどのランクにあたるかが表示されるのであり、図１（ｂ）の例では、ランクバー８ｂに対応するランクにあることが表示されている。
【００４８】
また、図１（ｂ）に示されるように、識別子８ｄ、８ｅを表示するようにすることもでき、この識別子８ｄ、８ｅを内臓脂肪と関係する具体的な症状と対応させることもできる。例えば、臨床学的には腹部内臓脂肪横断面積が１００ｃｍ2 を超えると肥満症とされることがあるが、識別子８ｅを腹部内臓脂肪横断面積の測定レベルの１００ｃｍ2 に対応させておくこともできる。
【００４９】
この図１（ｂ）に示されるように、定量的な数値として得られた測定結果を、ランクに区分して表示し、また測定結果に応じて患っている可能性のある症状に対応させて表示するようにすると、測定結果のレベルに応じた視覚を介する段階的で判り易い把握ができる。
【００５０】
また、この内臓脂肪計１０には、以下に説明するように被検者の体脂肪率を測定するための体脂肪率測定手段が設けられている。即ち、内臓脂肪計１０の本体の表面における前方部分の左側には電極３が配設され、前方部分の右側には電極４が配設されている。そして、本体１の裏面における前記電極３に対する略真裏の位置には電極５が配設され、前記電極４に対する略真裏の位置には電極６が配設されている。
【００５１】
これら電極３、４、５、６からなる電極群は、人体の生体インピーダンスを測定するためのものである。そして、前記電極５及び６は被検者の人体に電流路を形成するための一対の電流路形成電極であり、前記電極３及び４は前記電流路内における二点間の電位差を測定するための一対の電圧測定用電極である。
【００５２】
そして、これらの電極群は、体脂肪計において周知である本体１の内部のインピーダンス測定手段（図示されない）に接続されている。即ち、電極５及び６は一定電流を出力する定電流源を構成する回路部分に接続されており、電極３及び電極４は電圧計を構成する回路部分に接続されている。
【００５３】
これらの電極を介して生体インピーダンスを測定するにあたり、例えば、被検者の左手の親指を電極３に接触させ左手の人指し指を電極５に接触させるとともに、右手の親指を電極４に接触させ右手の人指し指を電極６に接触させることができる。このようにして被検者の両手を人体の末端とする生体インピーダンスを測定することができる。
【００５４】
この内臓脂肪計１０のように、電極５を電極３の略真裏の位置となるように配設し、電極６を電極４の略真裏の位置となるように配設すると、両手の各手の二本の指を電極に接触させつつ本体１を摘むにあたり、摘み易いというメリットがある。これにより、内臓脂肪計１０を手にとって安定して支持しつつ、生体インピーダンスを安定して測定することもできる。また、各手の二本の指によって、電極３と５とを略等しく押圧することができ、電極４と６とを略等しく押圧することもできる。これにより、生体インピーダンスをより安定に測定することができる。
【００５５】
次に、図２により、内臓脂肪計１０における信号処理のブロックについて説明する。この内臓脂肪計１０における各種の演算は、中央処理装置（ＣＰＵ）１４と記憶装置１５とを備えて構成される演算処理部１２によって行われる。
【００５６】
そして、記憶装置１５には、操作部７に備わる機能キーの操作を介して入力された個人データや、電極３、４、５、６を介して得られた生体インピーダンスの測定値が記憶される。また、記憶装置１５には、生体インピーダンスや個人データに基づいて体脂肪率を求めるために必要な各種の演算式や係数等が記憶されている。また、体脂肪率が求められると、この体脂肪率が記憶装置１５に記憶される。また、前記ＢＭＩや、腹部内臓脂肪横断面積の推定値が求められると、これらの演算結果についても記憶装置１５に記憶される。
【００５７】
また、記憶装置１５には、内臓脂肪計１０に対する一連の操作についての被検者に対する所要の指示を行う手順を内容とする操作指示ルーチンや、ＢＭＩや体脂肪率、腹部内臓脂肪横断面積の推定値の演算を内容とする測定ルーチンが格納されている。この測定ルーチンとして、後に説明する動作の例として実行される第一の測定ルーチン、第二の測定ルーチンがある。
【００５８】
また、記憶装置１５には、腹部内臓脂肪横断面積の推定値を求めるにあたって用いられる、ＷＴＲの第一相関係数ａ1、ＷＴＲの第二相関係数ａ2、ＷＴＲの第三相関係数ａ3、ＷＴＲの第四相関係数ａ4、ＷＴＲの第五相関係数ａ5、ＢＭＩの第一相関係数ｂ1、ＢＭＩの第二相関係数ｂ2、体脂肪率の第一相関係数ｄ1、体脂肪率の第二相関係数ｄ2、腹部皮下脂肪厚の第一相関係数ｅ1、腹部皮下脂肪厚の第二相関係数ｅ2、第一定数ｃ1、第二定数ｃ2、第三定数ｃ3、第四定数ｃ4、第五定数ｃ5、が記憶されている。
【００５９】
これら係数ａ1、ａ2、ａ3、ａ4、ａ5、ｂ1、ｂ2、ｃ1、ｃ2、ｃ3、ｃ4、ｃ5、ｄ1、ｄ2 、ｅ1、ｅ2は、別途に求められ、内臓脂肪計１０に入力され記憶される。これらの係数は以下のようにして求められる。即ち、不特定多数の標本となる人体について、各個人の実際の腹部内臓脂肪横断面積を測定する。そして、この標本となった各個人について、そのＷＴＲ、ＢＭＩ、体脂肪率、腹部の皮下脂肪厚の測定を行う。
【００６０】
そして、ＷＴＲと実際の腹部内臓脂肪横断面積との相関を統計的に処理することにより、前記ＷＴＲに対するａ1 及び第一定数ｃ1 が求められる。また、ＷＴＲ及びＢＭＩと実際の腹部内臓脂肪横断面積との相関を統計的に処理することにより、ＷＴＲに対するａ2、ＢＭＩに対するｂ1、第二定数ｃ2が求められる。また、ＷＴＲ及び体脂肪率と実際の腹部内臓脂肪横断面積との相関を統計的に処理することにより、ＷＴＲに対するａ3、体脂肪率に対するｄ1、第三定数ｃ3が求められる。
【００６１】
また、ＷＴＲ、ＢＭＩ及び腹部皮下脂肪厚と実際の腹部内臓脂肪横断面積との相関を統計的に処理することにより、ＷＴＲに対するａ4、ＢＭＩに対するｂ2、腹部皮下脂肪厚に対するｅ1、第四定数ｃ4が求められる。また、ＷＴＲ、体脂肪率及び腹部皮下脂肪厚と実際の腹部内臓脂肪横断面積との相関を統計的に処理することにより、ＷＴＲに対するａ5、体脂肪率に対するｄ2、腹部皮下脂肪厚に対するｅ2、第五定数ｃ5が求められる。
【００６２】
なお、上記係数ａ1乃至ｅ2を求めるにあたり、実際の腹部内臓脂肪横断面積と各個人データとの相関の統計的処理は、回帰分析により行うことができる。例えば、ＷＴＲに対する係数ａ1 及びａ1との関係で求められる係数ｃ1は、実際の腹部内臓脂肪横断面積がＷＴＲのみと相関するとの仮定に基づき、単回帰分析によって求めることができる。また、ＷＴＲ及びその他の個人データと腹部内臓脂肪横断面積が相関すると仮定する場合には、重回帰分析によって各係数を求めることができる。
【００６３】
また、標本となる人体に対する実際の腹部内臓脂肪横断面積を求めるにあたっては、断層撮影が用いられる。この断層撮影の方式としては、ＣＴスキャンやＭＲＩ、超音波診断等、人体の腹部の横断面を精度よく測定することが可能な各種の方式を用いることができる。また、上記係数ａ1乃至ｅ2を求めるにあたって、実際の腹部内臓脂肪横断面積及び個人データの採取を行う標本となる人体の個体数として、腹部内臓脂肪横断面積の統計的処理を行う観点から、１００人以上とするのが望ましい。より望ましくは、５００人以上とするのがよい。
【００６４】
また、図２に示される内臓脂肪計１０の信号処理のブロックについて、記憶装置１５に記憶された上記各種のデータや測定値を、表示部８に表示することができる。なお、上記各データや測定値を中央処理装置１４や記憶装置１５により処理するための入出力は、入出力装置（Ｉ／Ｏ）１６を介して行われる。
【００６５】
次に、この内臓脂肪計１０を動作させる例について、図３を参酌しつつ説明する。まず、内臓脂肪計１０の電源をオンし、操作部７を操作して第一の測定モードを選択すると、第一の測定ルーチンの実行が開始される。
【００６６】
まず、被検者により身体特定情報である個人データが入力されるが、身体特定情報として、身長、体重、年齢、性別、ＷＴＲが入力され、これらのデータが記憶される（Ｓ１）。
【００６７】
次に、Ｓ１で入力された身長及び体重に基づいてＢＭＩが演算により求められ記憶される（Ｓ２）。次に、被検者の両手間で生体インピーダンスが測定され（Ｓ３）、測定された生体インピーダンスが記憶される。次に、以上に入力された個人データのうちの所要項目と生体インピーダンスとから体脂肪率が演算され記憶される（Ｓ４）。
【００６８】
次に、腹部内臓脂肪横断面積が、以上に入力されたＷＴＲからの推定演算により求められ（Ｓ５）、以上に求められたＢＭＩ、体脂肪率、腹部内臓脂肪横断面積が表示部８に表示される（Ｓ６）。
【００６９】
以上のＳ５の手順における腹部内臓脂肪横断面積の推定演算は、以下の式（１）に従った演算によって行われる。
【００７０】
【数１】
0004503784.tif 000002
【００７１】
式（１）において、ＶＡは腹部内臓脂肪横断面積を表している（以下、ＶＡは腹部内臓脂肪横断面積を表す）。
【００７２】
この図３に示されるＳ５の手順にあっては、ＶＡを被検者のＷＴＲのみとの相関を仮定し、該仮定に基づく上記係数ａ1及びｃ1とＷＴＲとからＶＡの推定値を演算している。このＶＡの推定値を演算するにあたって、上記式（１）に代えて、以下の式（２）乃至式（５）を用いることもできる。
【００７３】
【数２】
0004503784.tif 000003
【００７４】
【数３】
0004503784.tif 000004
【００７５】
【数４】
0004503784.tif 000005
【００７６】
【数５】
0004503784.tif 000006
【００７７】
式（３）、式（５）におけるＦＡＴは％で表示される体脂肪率を表している（以下、ＦＡＴは体脂肪率を表す）。また、式（４）におけるｓは腹部の皮下脂肪厚を表している。式（２）は、ＶＡと被検者のＷＴＲ及びＢＭＩとの相関の仮定に基づき、ＶＡの推定値を演算するための式である。式（３）は、ＶＡと被検者のＷＴＲ及び体脂肪率（ＦＡＴ）との相関の仮定に基づき、ＶＡの推定値を演算するための式である。
【００７８】
また、式（４）は、ＶＡと被検者のＷＴＲ、ＢＭＩ及び腹部の皮下脂肪厚（ｓ）との相関の仮定に基づき、ＶＡの推定値を演算するための式である。また、式（５）は、ＶＡと被検者のＷＴＲ、体脂肪率（ＦＡＴ）及び腹部の皮下脂肪厚（ｓ）との相関の仮定に基づき、ＶＡの推定値を演算するための式である。
【００７９】
以上より判るように、式（１）がＶＡをＷＴＲのみとの相関により求めるのに対し、式（２）乃至（５）にあっては、個人データの複数の項目との相関に基づきＶＡの推定値を求めるようにしている。この式（２）乃至（５）のように個人データの複数の項目との相関に基づきＶＡの推定値を求めるようにすると、各被検者の固有の個人的特徴をより細かく反映させてＶＡを求めることができる。
【００８０】
また、以上の式（１）乃至（５）の各々について、年齢による補正項や性別による補正項を加えることもできる。年齢による補正項Ｙｃは式（６）に表されるとおりであり、性別による補正項Ｘｃは式（７）に表されるとおりである。
【００８１】
【数６】
0004503784.tif 000007
【００８２】
【数７】
0004503784.tif 000008
【００８３】
式（６）において、ａｇｅは被検者の年齢であり、δは年齢補正係数である。また、式（７）において、ｃ7 は男女の性別によって異なる定数である。
【００８４】
以上の式（１）乃至（５）の各々について、式（６）の補正項Ｙｃや式（７）の補正項Ｘｃも加えてＶＡを求めるようにすると、被検者の年齢や性別に基づく個人的特徴をより細かく反映させることができる。この補正項Ｘｃ、Ｙｃについて、上記式（１）乃至（５）の各々に対して、いずれかを加えてもよく、両方ともに加えるのであっても構わない。Ｘｃ及びＹｃの両方を加えるようにすると、式（１）乃至式（５）の各式に従ってＶＡを求めるにあたり、被検者の個人的特徴をより細かく反映させることができる。
【００８５】
また、以上のようにして求められた被検者の腹部内臓脂肪横断面積に基づき、内臓脂肪に関する情報として、腹部内臓脂肪量を演算によって求めることもできる。
【００８６】
次に、内臓脂肪計１０を動作させる他の例について、図４を参酌しつつ説明する。操作部７を操作して第二の測定モードを選択すると、第二の測定ルーチンの実行が開始される。まず、被検者により、被検者のウエストサイズである腹部周囲長（腹囲）が入力される（Ｓ１１）。次に、腹部皮下脂肪横断面積（ＳＡ）が演算され、記憶される（Ｓ１２）。Ｓ１２の手順におけるＳＡの演算は、式（８）に従ってされる。
【００８７】
【数８】
0004503784.tif 000009
【００８８】
式（８）において、ＷLは腹部周囲長を表し、ｓは皮下脂肪厚を表し、εは皮下脂肪面積を求めるための皮下脂肪厚による周囲長の差（内周と外周の差）の補正係数である。
【００８９】
次に、腹部総断面積（ＡＷ）が演算され、記憶される（Ｓ１３）。Ｓ１３の手順におけるＡＷの演算は、式（９）に従ってされる。
【００９０】
【数９】
0004503784.tif 000010
【００９１】
式（９）において、πは円周率を表している。また、ζは、円形状と楕円形状との間で変換するための変換係数である。
【００９２】
次に、別に求められて記憶されている腹部内臓脂肪横断面積（ＶＡ）とＳＡから腹部総脂肪断面積（ＷＡ）が演算され記憶される（Ｓ１４）。このＳ１４の手順におけるＷＡの演算は、式（１０）に従ってされる。
【００９３】
【数１０】
0004503784.tif 000011
【００９４】
次に、腹部内臓脂肪横断面積（ＶＡ）と腹部皮下脂肪横断面積（ＳＡ）の比であるＶＳＲが演算され記憶される（Ｓ１５）。Ｓ１５の手順におけるＶＳＲの演算は、式（１１）に従ってされる。
【００９５】
【数１１】
0004503784.tif 000012
【００９６】
次に、腹部内臓脂肪横断面積（ＶＡ）と腹部総脂肪断面積（ＷＡ）の比であるＶＷＲ、腹部内臓脂肪横断面積（ＶＡ）と腹部総断面積（ＡＷ）の比であるＶＡＲが演算され記憶される（Ｓ１６）。Ｓ１６の手順におけるＶＷＲの演算は式（１２）に従ってされ、ＶＡＲの演算は式（１３）に従ってされる。
【００９７】
【数１２】
0004503784.tif 000013
【００９８】
【数１３】
0004503784.tif 000014
【００９９】
次に、腹部皮下脂肪横断面積（ＳＡ）と腹部総脂肪断面積（ＷＡ）の比であるＳＷＲ、腹部皮下脂肪横断面積（ＳＡ）と腹部総断面積（ＡＷ）の比であるＳＡＲが演算され記憶される（Ｓ１７）。Ｓ１７の手順におけるＳＷＲの演算は式（１４）に従ってされ、ＳＡＲの演算は式（１５）に従ってされる。
【０１００】
【数１４】
0004503784.tif 000015
【０１０１】
【数１５】
0004503784.tif 000016
【０１０２】
次に、以上に求められたＳＡ、ＶＳＲ、ＶＷＲ、ＶＡＲ、ＳＷＲ、ＳＡＲの各値が表示部８に表示される（Ｓ１８）。また、腹部皮下脂肪横断面積（ＳＡ）が、複数のランク別に判別され、該ランクに従って表示部８にランク表示される（Ｓ１９）。
【０１０３】
なお、以上の図１乃至図４に基づく説明では、個人データに含まれるウエストサイズや大腿部サイズ、及びそれらの比であるＷＴＲについて、他で測定されたデータを操作部７より入力するようにした例を挙げて説明したが、内臓脂肪計自体に被検者の腹囲長等を測定できる寸法測定手段を設けるようにするのであってもよい。図５（ａ）は、寸法測定手段が設けられた内臓脂肪計の例である内臓脂肪計２０の一部透視図を含む斜視図を示している。
【０１０４】
この内臓脂肪計２０にあっては、内部に収納できるとともに、外部に取り出し得るようにされた巻き尺２１が、寸法測定手段として設けられている。この巻き尺２１は、先端の引き出しチップ２２を摘んで引っ張ることにより、引き出し部２３より外部に引き出し得るようにされている。また、この巻き尺２１は、内臓脂肪計２０に設けられる図示されない収納ボタンの操作によって内部に収納できるようにされている。
【０１０５】
また、内臓脂肪計２０の先端における引き出し部２３の反対側には係止部２４が設けられており、図５（ｂ）に示されるように、巻き尺２１の引き出しチップ２２を係止部２４に固定することによって、巻き尺２１が撓む等することを防いで正確に測定できるようにされている。
【０１０６】
そして、図５（ｂ）に示されるように、巻き尺２１を引き出して人体の腹部回りや臀部回りの部位に巻き付けた上、引き出しチップ２２を係止部２４に固定することにより、寸法を測定したい所要部位の寸法を測定することができる。
【０１０７】
この巻き尺２１によって測定されたウエストサイズや大腿部サイズを操作部７を介して入力することもできるが、巻き尺２１によって測定された寸法が操作部７の操作を介することなく直接に演算処理部１２に入力される構成とするのであってもよい。この場合には、巻き尺２１を介して測定された寸法のデータはディジタル信号として処理されるようにされるとともに、図２に示される信号処理ブロックにおいて、入出力装置（Ｉ／Ｏ）１６を介して演算処理部１２に入力される。そして、巻き尺２１によって測定されたウエストサイズ及び大腿部サイズに基づき、これらの比であるＷＴＲが演算処理部１２で求められるようにされる。
【０１０８】
この内臓脂肪計２０のように寸法測定手段を設け、大腿部サイズやウエストサイズを測定できるようにすると、内臓脂肪横断面積を測定したい時点における被検者について、その場で測定できるので、被検者の最新の大腿部サイズやウエストサイズに応じて、より精度良く腹部内臓脂肪横断面積を求めることができる。
【０１０９】
なお、寸法測定手段として、以上に説明した巻き尺２１により構成する以外に、特に図示されないローラーによる回転積算式のものにより構成することもできる。即ち、寸法を測定したい部位に沿って接触させつつ移動させると回転するローラーの回転数の総和によって寸法を測定できるようにされたものにより寸法測定手段を構成するのである。かかる回転積算式のものにより寸法測定手段を構成すると、ウエスト回りや大腿回り等の部位に沿ってローラーを回転させただけで、ウエストサイズや大腿部サイズを測定することができ、該ウエストサイズや大腿部サイズの測定を容易とすることができる。
【０１１０】
以上の内臓脂肪計１０、内臓脂肪計２０の例では、手に取って操作することができ、体脂肪率にかかる生体インピーダンスの測定を両手を介してするように構成した例として説明した。
【０１１１】
本発明にかかる内臓脂肪計を、体重計及び体脂肪計と一体化させた構成とすることもできる。図６に示される内臓脂肪計３０は、体重計及び体脂肪計が一体に組み込まれた構成とされている。
【０１１２】
そして、この内臓脂肪計３０にあっては、本体の表面に体重測定面３２が形成され、本体の内部に設けられる図示されないロードセルによって体重測定面３２上の重量が検出される。そして、被検者が体重測定面３２の上に足で載ることによって、その体重を測定することができる。
【０１１３】
また、体重測定面３２には、被検者の生体インピーダンスを測定するための電極３３、３４、３５、３６が設けられている。電極３３、３４は被検者の人体に電流を導通させて電流路を形成するための一対の電流路形成電極であり、電極３５、３６は前記電流路における二点間の電圧を測定するための一対の電圧測定用電極である。
【０１１４】
そして、電極３３、３４、３５、３６は、上記内臓脂肪計１０、２０と同様に、体脂肪計や体脂肪測定の分野において周知である本体内部に設けられるインピーダンス測定手段に接続されており、電極３３、３４、３５、３６を介して人体のインピーダンスを測定できるようにされている。
【０１１５】
そして、この内臓脂肪計３０によると、被検者が左足の裏面を電極３３、３５に接触させるとともに、右足の裏面を電極３４、３６に接触させるようにして測定台３２の上に載ることにより、被検者の体重を測定できるとともに、両足を人体の末端とする生体インピーダンスを測定することもできる。
【０１１６】
そして、この内臓脂肪計３０は、前記内臓脂肪計１０について説明したのと同様に構成される操作部７、表示部８が設けられており、また、中央処理装置１４と記憶装置１５とを備えて構成される演算処理部１２を備えている。
【０１１７】
そして、記憶装置１５は、前記内臓脂肪計１０について説明したのと同様に構成されており、上記各ルーチンや各種の係数やデータが格納され、また、入力されたデータや測定結果が記憶されるようになっている。そして、上記図２に基づき説明したのと同様に信号処理が行われる。
【０１１８】
なお、この内臓脂肪計３０については、本体内部に設けられるロードセルにより検出された被検者の体重は、演算処理部１２により体重データとして処理されるようにされている。また、個人データの一つである体重について、操作部７より入力するかわりに、この内臓脂肪計３０によって測定された体重データを用いるようにすることもできる。
【０１１９】
また、この内臓脂肪計３０について、前記内臓脂肪計２０において説明した寸法測定手段を設け、その場でウエストサイズ、大腿部サイズを測定できるようにしてもよい。
【０１２０】
以上に説明した内臓脂肪計３０にあっては、その上に足で載ることにより、足を介する生体インピーダンスの測定により体脂肪率を測定しつつ体重の測定も行えるように体重計が一体に組み込まれたが、体重計として機能する部分を組み込まないようにしてもよい。即ち、体重の測定はできないが、足を介する生体インピーダンスの測定に基づき体脂肪率を測定できるとともに、以上に説明した内臓脂肪に関する測定を行えるようにするのであってもよい。
【０１２１】
さらに、体脂肪率測定手段に関して手と足の双方を介するインピーダンスの測定を行えるようにしつつ、以上に説明した内臓脂肪に関する測定を行えるようにするのであってもよい。即ち、体脂肪率測定手段に関して、図１や図５に示されたように手を介するインピーダンスの測定を行えるようにするとともに、図６に示されたように足を介するインピーダンスの測定を行えるようにするのであってもよい。
【０１２２】
【発明の効果】
以上に説明したように、本発明の内臓脂肪計によると、被検者の腹部内臓脂肪横断面積を家庭等で簡易に求めることができる。これにより、各種の疾病等との関係で重要とされる内臓脂肪についての情報を簡便に得ることができるという効果を奏する。
【図面の簡単な説明】
【図１】（ａ）内臓脂肪計の一例の斜視図である。
（ｂ）内臓脂肪計の表示部の表示の例を示す図である。
【図２】内臓脂肪計の信号処理に係るブロック図である。
【図３】腹部内臓脂肪横断面積の測定を行う手順の例を表す図である。
【図４】腹部内臓脂肪横断面積の測定を行う手順の例を表す図である。
【図５】寸法測定手段が設けられた内臓脂肪計を表す図である。
【図６】内臓脂肪計の一例の斜視図である。
【符号の説明】
１  本体
３、４  電圧測定用電極
５、６  電流路形成電極
７  操作部
８  表示部
１０  内臓脂肪計
１２  演算処理部
１４  中央処理装置
１５  記憶装置
１６  入出力装置（Ｉ／Ｏ）
２０  内臓脂肪計
２１  巻き尺
２２  引き出しチップ
３０  内臓脂肪計
３２  体重測定面
３３、３４  電流路形成電極
３５、３６  電圧測定用電極
【図１】
0004503784.tif 000017
【図２】
0004503784.tif 000018
【図３】
0004503784.tif 000019
【図４】
0004503784.tif 000020
【図５】
0004503784.tif 000021
【図６】
0004503784.tif 000022